(57)【要約】【課題】血流センサの接触面を適度な接触圧でユーザの頭部に密着させることができるヘッドマウント装置を提案する。【解決手段】ヘッドマウントディスプレイ１は、血流センサ２１と、血流センサ２１の周囲に配置され、ユーザの頭部に接触している支持部３２と、血流センサ２１を支持するセンサ支持機構Ｍと、を有している。センサ支持機構Ｍは、血流センサ２１の接触面２１ａに対して垂直な方向である接触方向での血流センサ２１の動きを許容するように、血流センサ２１を支持している。【選択図】  図１
2019062345.tif 000002
【特許請求の範囲】
【請求項１】
ユーザの頭部に接する接触面を有している血流センサと、
前記血流センサの周囲に配置され、ユーザの頭部に接する支持部と、
前記接触面に対して垂直な方向である接触方向での前記血流センサの動きを許容するように前記血流センサを支持しているセンサ支持機構と、を有している
ことを特徴とするヘッドマウント装置。
【請求項２】
前記センサ支持機構は前記接触方向で伸縮可能な伸縮部を有し、前記伸縮部を介して前記血流センサを支持し、
前記伸縮部は蛇腹を含んでいる
ことを特徴とする請求項１に記載のヘッドマウント装置。
【請求項３】
前記センサ支持機構は前記接触方向で伸縮可能な伸縮部を有し、前記伸縮部を介して前記血流センサを支持し、
前記伸縮部は、ゴムで形成され且つ中空の部材である
ことを特徴とする請求項1に記載のヘッドマウント装置。
【請求項４】
前記センサ支持機構は前記接触方向で伸縮可能な伸縮部を有し、前記伸縮部を介して前記血流センサを支持し、
前記伸縮部は、前記血流センサを前記頭部に向けて押す弾性を有し、
前記支持部は、前記支持部の前記面を前記頭部に向けて押す弾性を有し、
前記伸縮部の弾性率は前記支持部の弾性率よりも小さい
ことを特徴とする請求項１に記載のヘッドマウント装置。
【請求項５】
前記センサ支持機構は、前記接触面の傾斜を許容するように前記血流センサを支持している
ことを特徴とする請求項１に記載のヘッドマウント装置。
【請求項６】
前記血流センサは基板に取り付けられており、
前記センサ支持機構は、前記基板の右縁と左縁とが前記接触方向において別個に動くことができるように、前記基板を支持している
ことを特徴とする請求項１に記載のヘッドマウント装置。
【請求項７】
前記血流センサは基板に取り付けられており、
前記センサ支持機構は、前記基板の上縁と下縁とが前記接触方向において別個に動くことができるように、前記基板を支持している
ことを特徴とする請求項１に記載のヘッドマウント装置。
【請求項８】
前記支持部に囲まれている脳波センサをさらに備えている
ことを特徴とする請求項１に記載のヘッドマウント装置。
【請求項９】
前記血流センサの右側及び左側にそれぞれ配置される少なくとも２つの脳波センサをさらに備えている
ことを特徴とする請求項１に記載のヘッドマウント装置。
【発明の詳細な説明】
【技術分野】
【０００１】
本発明はヘッドマウント装置に関する。
【背景技術】
【０００２】
従来、脳波や、血流量などの生体情報を検知する装置の開発が進められている。下記特許文献１は血流センサを開示している。血流センサは被験者の皮膚に密着した状態で使用される。
【０００３】
また、ユーザの頭部に装着するヘッドマウント装置が知られている。例えば、下記特許文献２は、映像を観賞等するためのヘッドマウントディスプレイを開示している。ヘッドマウントディスプレイは、ゲーム装置やオーディオビジュアル装置などの動画生成装置で生成された動画データを受信し、これをユーザの眼前に配置された表示装置に表示する。
【先行技術文献】
【特許文献】
【０００４】
【特許文献１】特開２０１３−１４６３７１号公報
【特許文献２】国際公開第２０１５／１３７１６５号
【発明の概要】
【発明が解決しようとする課題】
【０００５】
ヘッドマウント装置に血流センサを搭載することが検討されている。ヘッドマウント装置をユーザの頭部に安定的に装着しようとすると、ヘッドマウント装置と頭部との間にある程度の力が作用する。ところが、そのことによって血流センサと皮膚との接触圧が高くなると、高い接触圧が血流に影響し、血流量の検出精度が下がるという問題が生じる。
【課題を解決するための手段】
【０００６】
本明細書で提案するヘッドマウント装置は、ユーザの頭部に接触する接触面を有している血流センサと、前記血流センサの周囲に配置され、ユーザの頭部に接触している支持部と、前記接触面に対して垂直な方向である接触方向での前記血流センサの動きを許容するように前記血流センサを支持しているセンサ支持機構と、を有している。このヘッドマウント装置によると、血流センサの接触面を適度な接触圧でユーザの頭部に密着させることができ、血流量の検出精度を向上できる。
【図面の簡単な説明】
【０００７】
【図１】本発明の実施形態の一例であるヘッドマウントディスプレイを示す斜視図である。
【図２】血流センサが配置されている部分の背面図である。
【図３】図２に示すＩＩＩ線−ＩＩＩ線での断面図である。
【図４】図２に示すＩＶ線−ＩＶ線での断面図である。
【発明を実施するための形態】
【０００８】
以下、本発明の実施形態について説明する。本明細書では、本発明の実施形態の一例として、ヘッドマウントディスプレイについて説明する。本発明は、ヘッドマウントディスプレイとは異なる装置、例えば、ディスプレイを備えていない、脳の動きを検知するヘッドマウント装置に適用されてもよい。
【０００９】
以下の説明では、図１のＹ１及びＹ２が示す方向をそれぞれ前方及び後方と称し、図１のＺ１及びＺ２の示す方向をそれぞれ上方及び下方と称する。また、図２に示すＸ１及びＸ２が示す方向をそれぞれ右方向及び左方向と称する。また、以下の説明では、ヘッドマウントディスプレイをＨＭＤと称する。
【００１０】
図１に示すように、ＨＭＤ１は表示装置１１を内蔵している装置本体１０を有している。表示装置１１は、例えば液晶表示装置や有機エレクトロルミネセンス表示装置であるが、その種類は特に限定されない。ＨＭＤ１の使用時、装置本体１０はユーザの眼前を覆う。装置本体１０は表示装置１１を収容しているハウジング１２を有している。
【００１１】
図１に示すように、ＨＭＤ１は、その前部に、装着部２０を有している。装着部２０には、ユーザの額の血流量を検知するための後述する血流センサ２１や、脳波を検知するための脳波センサ２７Ａ、２７Ｂが設けられている。装着部２０は装置本体１０の上側に位置し、装置本体１０に接続される。ＨＭＤ１の使用時、装着部２０はユーザの額に当てられる。装着部２０（より具体的には、装着部２０のフレーム３１）は、人の額の形状に合うように湾曲している。
【００１２】
図１に示すように、ＨＭＤ１は、ユーザの頭部に巻かれる装着バンド１３を有している。ＨＭＤ１の例では、装着バンド１３は装着部２０の右側と左側とに接続している。そして、装着バンド１３と装着部２０は、それらの平面視において、頭部を取り囲む環状である。装着バンド１３は、その長さが調整可能となるように、構成されてもよい。装着バンド１３の取り付け位置は、ＨＭＤ１の例に限られない。例えば、装着バンド１３は、装着部２０ではなく、装置本体１０に接続されていてもよい。
【００１３】
図３に示すように、装着部２０は、血流センサ２１と、血流センサ２１を支持するセンサ支持機構Ｍとを有している。また、装着部２０は、血流センサ２１の周囲に配置される支持部３２と、フレーム３１とを有している（以下では、フレーム３１を「前側フレーム」と称する。）。
【００１４】
血流センサ２１は、血流量を測定する光学式のセンサである。血流センサ２１は、光（例えば、レーザ光）を額に照射し、その反射光から大脳の血流量を計測する。血流センサ２１は発光素子（例えば、レーザーダイオード）と受光素子（例えば、フォトダイオード）とを有する。そして、血流センサ２１は、例えば赤外光を額に照射し、散乱した光を受光素子で検出する。受光素子で検出した光から、大脳の表面付近の血液量の変化を計測する。血流センサ２１は複数の受光素子を有してもよい。また、血流センサ２１は複数の発光素子を有してもよい。
【００１５】
ＨＭＤ１は、例えばゲーム装置やオーディオビジュアル装置、パーソナルコンピュータなどの動画生成装置に、無線又は有線で接続される。そして、ＨＭＤ１は動画生成装置から動画データを受信し、それを表示装置１１に表示する。また、ＨＭＤ１は、血流センサ２１で検出した血流量についての情報を動画生成装置に送信する。動画生成装置は、ＨＭＤ１から受信した血流量についての情報を、動画生成装置が生成する動画データに反映させる。すなわち、動画生成装置は、ＨＭＤ１から受信した血流量についてのデータに基づいて、ＨＭＤ１に送信する動画データを生成（補正を含む）する。
【００１６】
図２に示すように、ＨＭＤ１の例では、血流センサ２１は、左右方向における装着部２０の中心部に配置されている。後述するように、センサ支持機構Ｍは血流センサ２１の位置や姿勢の変化を許容するように、血流センサ２１を支持している。血流センサ２１の配置は、ＨＭＤ１の例に限られない。例えば、血流センサ２１の位置は、左右方向における装着部２０の中心から右方向又は左方向にずれていてもよい。ＨＭＤ１は複数の血流センサ２１を有してもよい。この場合、複数の血流センサ２１は左右方向に並んでもよいし、上下方向に並んでもよい。
【００１７】
前側フレーム３１は、例えば板状である。図１に示すように、支持部３２や、センサ支持機構Ｍなど、装着部２０を構成する部品は前側フレーム３１に取り付けられる。上述した装着バンド１３は、例えばこの前側フレーム３１に接続される。前側フレーム３１は、人の額の形状に合うように湾曲している。前側フレーム３１は、例えばプラスチックによって形成される。前側フレーム３１は、一体的に形成された１つの部材でもよいし、それぞれが一体的に形成された複数の部材によって構成されてもよい。例えば、センサ支持機構Ｍが取り付けられた部分（第１の部分）と、支持部３２が取り付けられている部分（第２の部分）は、相互に別個に形成され、第１の部分は第２の部分に取り付けられてもよい。
【００１８】
図１に示すように、支持部３２は、前側フレーム３１の後面に取り付けられている。支持部３２の表面（後面）３２ａ（図３参照）は、ＨＭＤ１の使用時にユーザの額に当たる。このため、支持部３２は、前側フレーム３１とユーザの額との距離を確保するスペーサとして機能し得る。この支持部３２がユーザの額に当たることによって、血流センサ２１がユーザの額に強く押しつけられることを防ぐことができる。例えば、ユーザが装着バンド１３の長さを短くしたために、装着部２０がユーザの額に押し当てられる場合、その力は支持部３２に作用し、血流センサ２１には大きな力は作用しない。支持部３２は、その表面３２ａをユーザの額に向けて押す弾性を有している。言い換えれば、支持部３２は、クッション性を有する材料で形成されている。支持部３２は例えばゴムや発泡材料で形成され得る。
【００１９】
図２に示すように、ＨＭＤ１の例では、支持部３２は、血流センサ２１を挟んで（言い換えれば、センサ支持機構Ｍを挟んで）、互いに反対側に位置する２つの部分３２Ｒ、３２Ｌを有している（以下では、部分３２Ｒ、３２Ｌのそれぞれを「半部」と称する。）。ＨＭＤ１の例では、支持部３２は、血流センサ２１の右側に配置される右半部３２Ｒと、血流センサ２１の左側に配置される左半部３２Ｌとを有している。半部３２Ｒ、３２Ｌは、例えば血流センサ２１に向かった開いた略Ｕ字形状である。すなわち、半部３２Ｒ、３２Ｌのそれぞれは、装着部２０の上部で左右方向に伸びている上横部３２ｄと、装着部２０の下部で左右方向に伸びている下横部３２ｂと、上横部３２ｄと下横部３２ｂとを繋ぐ縦部３２ｃとを含んでいる。半部３２Ｒ、３２Ｌの内側の領域Ｅ１に、他の部品（例えば、後述する脳波センサ２７Ａ、２７Ｂや、回路基板、バッテリなど）が配置されてもよい。
【００２０】
支持部３２の形状や配置は、ＨＭＤ１の例に限られない。例えば、支持部３２は、血流センサ２１の上側に位置する部分や、血流センサ２１の下側に位置する部分を含んでもよい。他の例では、支持部３２は四角形や円形でもよい。この場合、支持部３２は、他の部品が配置される領域Ｅ１を含んでいてもよいし、含んでいなくてもよい。さらに他の例として、半部３２Ｒ、３２Ｌは、上横部３２ｄと下横部３２ｂとを繋ぐ縦部３２ｃを含んでいなくてもよい。
【００２１】
血流センサ２１は、ユーザの額に接する接触面２１ａ（図３参照）を有している。発光素子と受光素子は接触面２１ａに設けられている。接触面２１ａと額の皮膚との間に隙間があると、その隙間に外光が入り、血流量が適切に検知できない。そのため、接触面２１ａは皮膚に密着している必要がある。ところが、接触面２１ａと皮膚との接触圧が高いと、高い接触圧が血流量に影響し、血流量の検知精度の低下につながる。そのため、接触面２１ａは適度な接触圧（比較的低い接触圧）で皮膚に密着している必要がある。
【００２２】
そこで、ＨＭＤ１の例では、血流センサ２１の周囲に支持部３２が配置されている。そして、センサ支持機構Ｍは、接触面２１ａに対して垂直な方向（図３においてＤ１方向）での血流センサ２１の動きを許容するように、血流センサ２１を支持している（以下では、Ｄ１方向を「接触方向」と称する。本明細書において「接触方向」は、血流センサ２１が初期位置にあるときに接触面２１ａに直交する方向である。）。この構造によると、接触面２１ａを適度な接触圧で皮膚に密着させることができる。
【００２３】
図３に示すように、センサ支持機構Ｍは接触方向において伸縮可能な伸縮部２５を有し、伸縮部２５を介して血流センサ２１を支持している。すなわち、センサ支持機構Ｍは接触方向において血流センサ２１をフローティングさせており、伸縮部２５はフローティングばねとして機能している。伸縮部２５は、例えば蛇腹を含む。すなわち、伸縮部２５は、複数の折り目２５ａ、２５ｂを有し、谷折り２５ａと山折り２５ｂとが接触方向において交互に並んでいる。このように伸縮部２５として蛇腹を利用すると、例えば伸縮部２５として発条を利用する場合に比して、血流センサ２１の変位に起因する接触圧の変化を低減できる。このため、例えば装着バンド１３の締め付けを強くした場合でも、接触圧を概ね一定に保つことができる。
【００２４】
伸縮部２５はゴム（例えば、シリコーンゴムや、ウレタンゴム、アクリルゴムなど）で形成されている。また、伸縮部２５は接触方向に伸びている筒状であり、伸縮部２５の内側は中空である。すなわち、伸縮部２５は、上面部２５ｃ（図３参照）、下面部２５ｄ（図３参照）、右側面部２５ｅ（図４参照）、及び左側面部２５ｆ（図４参照）を有し、それらの内側に空間が形成されている。
【００２５】
伸縮部２５は血流センサ２１をユーザの額に向けて押す弾性を有している。これによって、接触面２１ａをユーザの額に密着させることができる。伸縮部２５の弾性率は低いのが好ましい。低い弾性率の伸縮部２５を利用すれば、ユーザの額の形状や装着バンド１３の締め付け具合（言い換えれば、装着バンド１３の長さ）によって血流センサ２１からユーザの額に作用する荷重（接触圧）が変化することを、抑えることができる。例えば、装着バンド１３を短くしたために、支持部３２がユーザの額に比較的大きな力で押しつけられる場合であっても、血流センサ２１を適度な力でユーザの額に接触させることができる。伸縮部２５は、例えば支持部３２よりも小さい弾性率を有する。
【００２６】
なお、伸縮部２５は蛇腹でなくてもよい。例えば伸縮部２５は、接触方向で交互に並ぶ複数の折り目２５ａ、２５ｂに換えて、１つの折り目だけを有してもよい。また、センサ支持機構Ｍは、伸縮部２５として、１又は複数の発条を有してもよい。この場合、伸縮部２５としては、比較的低い弾性率を有する発条を用いるのが望ましい。
【００２７】
血流センサ２１は、ユーザの額の形状によらず額に接するように設計するのが好ましい。具体的には、血流センサ２１は、例えば支持部３２の表面（後面）３２ａが形成する仮想的な湾曲面よりも接触面２１ａがユーザの額側に位置するように、配置される。言い換えれば、血流センサ２１の接触面２１ａは、支持部３２の表面３２ａが形成する湾曲面よりも後方に位置する。
【００２８】
図３に示すように、血流センサ２１は基板２２に実装されている（以下では、この基板２２を「センサ基板」と称する。）。センサ基板２２には血流センサ２１の駆動回路が実装されてもよい。また、センサ基板２２には、血流センサ２１の駆動回路と、ＨＭＤ１が有している他の回路・部品とを繋ぐ電線２２ａが接続されてもよい。ＨＭＤ１の例では、電線２２ａは筒状の伸縮部２５の内側を通って、前方に伸びている。センサ支持機構Ｍは、センサ基板２２が取り付けられるセンサフレーム２３を有している。センサ基板２２はセンサフレーム２３の中央部２３ａに取り付けられている。
【００２９】
図３に示すように、センサフレーム２３は、伸縮部２５の後縁２５ｇが接続される外周部２３ｂを有している。上述したように、伸縮部２５は上面部２５ｃ、下面部２５ｄ、右側面部２５ｅ、及び左側面部２５ｆを有している筒状である。外周部２３ｂは矩形であり、外周部２３ｂには、上面部２５ｃ、下面部２５ｄ、右側面部２５ｅ、及び左側面部２５ｆの後縁２５ｇが接続されている。このことによって、センサフレーム２３とセンサ基板２２は接触方向において一緒に動くことができる。
【００３０】
図３に示すように、伸縮部２５の前縁２５ｈは前側フレーム３１に接続されている。前側フレーム３１には、伸縮部２５の前方に位置する開口３１ａが形成されている。伸縮部２５の内側の空間は開口３１ａを通って外部と連通している。伸縮部２５が伸縮するとき、空気はこの開口３１ａを通って伸縮部２５の内側に入ったり、出たりできる。その結果、伸縮部２５がスムーズに伸縮できる。センサ基板２２に接続されている電線２２ａは、前側フレーム３１の開口３１ａを通って伸びている。
【００３１】
センサ支持機構Ｍは、血流センサ２１の接触面２１ａの傾斜を許容するように、血流センサ２１を支持している。ここで「接触面２１ａの傾斜」とは、図３及び図４において示す平面Ｐ１に対する接触面２１ａの傾斜である。平面Ｐ１は、血流センサ２１が初期位置（図３及び図４で示す血流センサ２１の位置）にあるときに、接触面２１ａに平行な面である。この構造によると、血流センサ２１の姿勢が、ユーザの額の形状に合わせて変化できる。その結果、接触面２１ａとユーザの額との密着性を向上できる。
【００３２】
前側フレーム３１は、センサフレーム２３が接触方向に動くことができるように、センサフレーム２３を案内するガイド部３１ｎを有している。ＨＭＤ１の例では、前側フレーム３１は、センサ支持機構Ｍを挟んで互いに反対側に位置する２箇所に、ガイド部３１ｎを有している。図４に示すように、ガイド部３１ｎは、例えば、センサ支持機構Ｍの右側と左側とに設けられている。ガイド部３１ｎは、前側フレーム３１から接触方向に伸びている。より詳細には、ガイド部３１ｎは前側フレーム３１から突出しているボスである。一方、センサフレーム２３は、２つのガイド部３１ｎに沿ってそれぞれ移動可能な２つの被ガイド部２３ｎを有している。ＨＭＤ１の例では、被ガイド部２３ｎはセンサフレーム２３の外周部２３ｂの右縁及び左縁に形成されている。
【００３３】
図４に示すように、被ガイド部２３ｎには開口が形成されている。この開口にガイド部３１ｎは嵌まっている。このことによって、センサフレーム２３はガイド部３１ｎによって支持されている。すなわち、上下方向及び左右方向でのガイド部３１ｎに対するセンサフレーム２３の動きが制限されている。また、被ガイド部２３ｎは、ガイド部３１ｎに沿って接触方向に移動可能となっている。ガイド部３１ｎの端部には、ガイド部３１ｎからの被ガイド部２３ｎの抜けを規制するストッパ部材３３が取り付けられている。ストッパ部材３３としては、例えば螺子を用いることができる。上述したように、伸縮部２５は弾性を有し、血流センサ２１を接触方向（後方）に押している。左右の被ガイド部２３ｎが左右のガイド部３１ｎのストッパ部材３３にそれぞれ当たっているとき、血流センサ２１は初期位置に配置されている。
【００３４】
センサフレーム２３に形成されている２つの被ガイド部２３ｎは、ガイド部３１ｎに沿って別個に動くことができる。したがって、センサ基板２２の右縁２２ｂ（図４参照）と左縁２２ｃ（図４参照）は、接触方向において別個に動くことができる。その結果、血流センサ２１の接触面２１ａは、右方向に向かって、或いは左方向に向かって傾斜できる。
【００３５】
また、被ガイド部２３ｎの開口はガイド部３１ｎよりも大きな径を有しており、各被ガイド部２３ｎはガイド部３１ｎに対して傾斜できる。その結果、センサ基板２２の上縁２２ｄ（図３参照）と下縁２２ｅ（図３参照）とが接触方向において別個に動くことができる。その結果、血流センサ２１の接触面２１ａは、上方に向かって、或いは下方に向かって傾斜できる。
【００３６】
なお、センサ基板２２の支持構造は、センサ基板２２の傾斜が許容されるものであれば、必ずしも図４で示す例に限られない。例えば、前側フレーム３１に形成されているガイド部３１ｎの位置は、センサ支持機構Ｍの上側と下側とに位置してもよい。さらに他の例では、ガイド部３１ｎ及び被ガイド部２３ｎは伸縮部２５の内側に形成されてもよい。さらに他の例では、ガイド部３１ｎの数は２つに限られず、３つでもよいし、４つでもよい。
【００３７】
図２に示すように、装着部２０は脳波センサ２７Ａ、２７Ｂを有している。脳波センサ２７Ａ、２７Ｂは例えば電極であり、頭部の表面の２点間に生じる電位差の変化を脳波として検出する。ＨＭＤ１は、ゲーム装置などの動画生成装置に、脳波についての情報を送信する。動画生成装置は、ＨＭＤ１から受信した脳波についての情報を、動画生成装置が生成する動画データに反映させる。すなわち、動画生成装置は、ＨＭＤ１から受信した脳波についての情報に基づいて、ＨＭＤ１に送信する動画データを生成（補正）する。
【００３８】
ＨＭＤ１の例では、脳波センサ２７Ａ、２７Ｂは血流センサ２１の右側と左側とにそれぞれ配置されている。ＨＭＤ１の使用時、脳波センサ２７Ａ、２７Ｂは、ユーザの眉の上側に接する。脳波センサ２７Ａ、２７Ｂをこの位置に配置することによって、ＨＭＤ１の使用時に、脳波センサ２７Ａ、２７Ｂをユーザの額に十分に押し当てることが許容される。その結果、脳波の検出精度を向上できる。なお、ＨＭＤ１の使用時、血流センサ２１とユーザの額との接触圧は、脳波センサ２７Ａ、２７Ｂとユーザの額との接触圧よりも低い。
【００３９】
上述したように、支持部３２が有している左右の半部３２Ｒ、３２Ｌのそれぞれは、内側に領域Ｅ１を有している。ＨＭＤ１の例では、脳波センサ２７Ａ、２７Ｂは、その領域Ｅ１に配置されており、半部３２Ｒ、３２Ｌによってそれぞれ囲まれている。このように、ＨＭＤ１の例では、支持部３２の内側の領域Ｅ１を有効に利用して、脳波センサ２７Ａ、２７Ｂが配置されており、装着部２０のサイズを低減できている。
【００４０】
脳波センサ２７Ａ、２７Ｂの配置は、ＨＭＤ１の例に限られず、適宜変更されてよい。例えば、脳波センサ２７Ａ、２７Ｂは、センサ支持機構Ｍの上側に配置されてもよいし、センサ支持機構Ｍの下側に配置されてもよい。また、図２の例では、装着部２０は２つの脳波センサ２７Ａ、２７Ｂを有しているが、脳波センサ２７Ａ、２７Ｂの数は２つより多くてもよい。
【００４１】
以上説明したように、ＨＭＤ１は、ユーザの頭部に接する接触面２１ａを有している血流センサ２１と、血流センサ２１の周囲に配置され、ユーザの頭部に接する支持部３２と、接触面２１ａに対して垂直な方向である接触方向での血流センサ２１の動きを許容するように血流センサ２１を支持しているセンサ支持機構Ｍと、を有している。この装置によれば、接触面２１ａを適度な接触圧でユーザの額に密着させることができ、血流量の検出精度を向上できる。
【００４２】
なお、本発明は以上説明したＨＭＤ１に限られず、適宜変更されてよい。例えば、本発明は、血流センサ２１を有しているものの、表示装置１１を有していないヘッドマウント装置に適用されてもよい。
【符号の説明】
【００４３】
Ｍ  センサ支持機構、１０  装置本体、１１  表示装置、１２  ハウジング、１３  装着バンド、２０  装着部、２１  血流センサ、２１ａ  接触面、２２  センサ基板、２２ａ  電線、２３  センサフレーム、２３ａ  中央部、２３ｂ  外周部、２３ｎ  被ガイド部、２５  伸縮部、２５ｃ  上面部、２５ｄ  下面部、２５ｅ  右側面部、２５ｆ  左側面部、２７Ａ、２７Ｂ  脳波センサ、３１  前側フレーム、３１ａ  開口、３１ｎ  ガイド部、３２  支持部、３２Ｌ  左半部、３２Ｒ  右半部、３２ａ  後面、３３  ストッパ部材。
【図１】
2019062345.tif 000003
【図２】
2019062345.tif 000004
【図３】
2019062345.tif 000005
【図４】
2019062345.tif 000006
【手続補正書】
【提出日】平成30年5月11日(2018.5.11)
【手続補正１】
【補正対象書類名】特許請求の範囲
【補正対象項目名】全文
【補正方法】変更
【補正の内容】
【特許請求の範囲】
【請求項１】
ユーザの頭部に接する接触面を有している光学センサと、
前記光学センサの周囲に配置され、ユーザの頭部に接する支持部と、
前記接触面に対して垂直な方向である接触方向での前記光学センサの動きを許容するように前記光学センサを支持しているセンサ支持機構と、を有している
ことを特徴とするヘッドマウント装置。
【請求項２】
前記センサ支持機構は前記接触方向で伸縮可能な伸縮部を有し、前記伸縮部を介して前記光学センサを支持し、
前記伸縮部は蛇腹を含んでいる
ことを特徴とする請求項１に記載のヘッドマウント装置。
【請求項３】
前記センサ支持機構は前記接触方向で伸縮可能な伸縮部を有し、前記伸縮部を介して前記光学センサを支持し、
前記伸縮部は、ゴムで形成され且つ中空の部材である
ことを特徴とする請求項1に記載のヘッドマウント装置。
【請求項４】
前記センサ支持機構は前記接触方向で伸縮可能な伸縮部を有し、前記伸縮部を介して前記光学センサを支持し、
前記伸縮部は、前記光学センサを前記頭部に向けて押す弾性を有し、
前記支持部は、前記支持部の前記面を前記頭部に向けて押す弾性を有し、
前記伸縮部の弾性率は前記支持部の弾性率よりも小さい
ことを特徴とする請求項１に記載のヘッドマウント装置。
【請求項５】
前記センサ支持機構は、前記接触面の傾斜を許容するように前記光学センサを支持している
ことを特徴とする請求項１に記載のヘッドマウント装置。
【請求項６】
前記光学センサは基板に取り付けられており、
前記センサ支持機構は、前記基板の右縁と左縁とが前記接触方向において別個に動くことができるように、前記基板を支持している
ことを特徴とする請求項１に記載のヘッドマウント装置。
【請求項７】
前記光学センサは基板に取り付けられており、
前記センサ支持機構は、前記基板の上縁と下縁とが前記接触方向において別個に動くことができるように、前記基板を支持している
ことを特徴とする請求項１に記載のヘッドマウント装置。
【請求項８】
前記支持部に囲まれている脳波センサをさらに備えている
ことを特徴とする請求項１に記載のヘッドマウント装置。
【請求項９】
前記光学センサの右側及び左側にそれぞれ配置される少なくとも２つの脳波センサをさらに備えている
ことを特徴とする請求項１に記載のヘッドマウント装置。
【請求項１０】
前記光学センサは血流センサである
ことを特徴とする請求項１に記載のヘッドマウント装置。